(57)【要約】【課題】本来的には放送で用いられない周波数での放送を受信可能とする放送受信アダプタ、地上デジタル放送受信機、及び、放送中継装置を提供する。【解決手段】ワンセグ放送携帯電話機４０に接続されるアンテナアダプタ１０−１は、ＩＳＤＢ−Ｔ放送送出機５０から送出される、本来的には放送で用いられない市民バンドの周波数を有する放送信号を、ＧＨｚ帯アンテナ２０により受信し、地上デジタル放送で用いられている周波数に変換した上で、ワンセグ放送携帯電話機４０へ出力する。【選択図】図１
2008283270.tif 000002
【特許請求の範囲】
【請求項１】
デジタル放送周波数を有する放送信号を受信するデジタル放送受信機に接続される放送受信アダプタであって、
前記デジタル放送周波数とは異なる周波数を有する放送信号を受信する受信手段と、
前記受信手段により受信された放送信号を、前記デジタル放送周波数を有する追加受信用放送信号に変換する周波数変換手段と、
前記周波数変換手段により得られた追加受信用放送信号を前記デジタル放送受信機へ出力する放送信号出力手段とを有することを特徴とする放送受信アダプタ。
【請求項２】
前記周波数変換手段は、前記受信手段により受信された放送信号を、該放送信号の周波数に対応して定まる前記デジタル放送の周波数を有する追加受信用放送信号に変換することを特徴とする請求項１に記載の放送受信アダプタ。
【請求項３】
前記周波数変換手段は、前記受信手段により受信された放送信号を、デジタル放送のチャネルのうち、未使用のチャネルの周波数を有する追加受信用放送信号に変換することを特徴とする請求項１に記載の放送受信アダプタ。
【請求項４】
前記デジタル放送周波数とは異なる周波数は、市民バンド周波数であることを特徴とする請求項１乃至３のいずれかにに記載の放送受信アダプタ。
【請求項５】
デジタル放送周波数を有する放送信号を受信するデジタル放送受信機であって、
チューナと、
デジタル放送周波数を有する放送信号を受信する第１の受信手段と、
前記デジタル放送周波数とは異なる周波数を有する放送信号を受信する第２の受信手段と、
前記第２の受信手段により受信された放送信号を、前記デジタル放送周波数を有する追加受信用放送信号に変換する周波数変換手段と、
前記周波数変換手段により得られた追加受信用放送信号と、前記第１の受信手段により受信された放送信号とのいずれかを選択的に前記チューナへ出力する切替手段とを有すること特徴とするデジタル放送受信機。
【請求項６】
前記周波数変換手段は、前記受信手段により受信された放送信号を、該放送信号の周波数に対応して定まる前記デジタル放送の周波数を有する追加受信用放送信号に変換することを特徴とする請求項６に記載のデジタル放送受信機。
【請求項７】
前記デジタル放送周波数とは異なる周波数は、市民バンド周波数であることを特徴とする請求項４に記載のデジタル放送受信機。
【請求項８】
デジタル放送周波数とは異なる周波数を有する放送信号を受信する受信手段と、
前記受信手段により受信された放送信号を、デジタル放送周波数を有する追加受信用放送信号に変換する周波数変換手段と、
前記周波数変換手段により得られた追加受信用放送信号を、予め定められた値以下の空中線電力で送出する放送信号送出手段とを有することを特徴とする放送中継装置。
【請求項９】
前記周波数変換手段は、前記受信手段により受信された放送信号を、該放送信号の周波数に対応して定まる前記デジタル放送の周波数を有する追加受信用放送信号に変換することを特徴とする請求項８に記載の放送中継装置。
【請求項１０】
前記デジタル放送周波数とは異なる周波数は、市民バンド周波数であることを特徴とする請求項８乃至１０のいずれかに記載の放送中継装置。
【請求項１１】
デジタル放送周波数を有する放送信号を受信するデジタル放送受信機に接続される放送受信アダプタであって、
前記デジタル放送周波数とは異なる周波数を有する放送信号を受信する受信手段と、
前記受信手段により受信された放送信号を、前記デジタル放送周波数を有する追加受信用放送信号に変換する周波数変換手段と、
前記周波数変換手段により得られた追加受信用放送信号を、予め定められた値以下の空中線電力で送出する放送信号送出手段と、
前記デジタル放送受信機から出力される放送データを記憶する記憶手段とを有することを特徴とする放送受信アダプタ。
【請求項１２】
前記周波数変換手段は、前記受信手段により受信された放送信号を、該放送信号の周波数に対応して定まる前記デジタル放送の周波数を有する追加受信用放送信号に変換することを特徴とする請求項１１に記載の放送受信アダプタ。
【請求項１３】
前記デジタル放送周波数とは異なる周波数は、市民バンド周波数であることを特徴とする請求項１１又は１２に記載の放送受信アダプタ。
【発明の詳細な説明】
【技術分野】
【０００１】
本発明は、デジタル放送受信機に接続される放送受信アダプタ、デジタル放送受信機、及び、放送中継装置に関する。
【背景技術】
【０００２】
近年、地上デジタル放送、特に１セグメント放送（ワンセグ放送）の開始に伴い、据え置き型のテレビ受像機等の放送受信機のみならず、携帯電話機等の様々な機器も地上デジタル放送の受信機能を有するようになっている（例えば、特許文献１参照）。
【特許文献１】特開２００６−１５７５９５号公報
【発明の開示】
【発明が解決しようとする課題】
【０００３】
ところで、いわゆる市民バンドの周波数帯域（たとえば２．４［ＧＨｚ］帯域）は、技術基準適合証明を受けた無線設備を用い、且つ、空中線電力が所定値以下（例えば０．０５［Ｗ］以下）であれば、無線従事者免許を保有しない者であっても利用することができる。そして、この市民バンドの周波数帯域を利用して狭い地域のきめ細かな情報について放送するサービスが提案されている。しかし、上述したように、地上デジタル放送の受信機能を有する機器は普及しつつあるものの、市民バンド等の本来的には地上デジタル放送で用いられない周波数での放送の受信機能を有するものは存在しない。
【０００４】
本発明の目的は、上述した問題を解決するものであり、本来的には放送で用いられない周波数での放送を受信可能とする放送受信アダプタ、地上デジタル放送受信機、及び、放送中継装置を提供するものである。
【課題を解決するための手段】
【０００５】
本発明に係る、デジタル放送周波数を有する放送信号を受信するデジタル放送受信機に接続される放送受信アダプタは、前記デジタル放送周波数とは異なる周波数を有する放送信号を受信する受信手段と、前記受信手段により受信された放送信号を、前記デジタル放送周波数を有する追加受信用放送信号に変換する周波数変換手段と、前記周波数変換手段により得られた追加受信用放送信号を前記デジタル放送受信機へ出力する放送信号出力手段とを有することを特徴とする。
【０００６】
この構成によれば、デジタル放送受信機に接続される放送受信アダプタが、本来的には放送で用いられることのない、デジタル放送周波数とは異なる周波数（例えば市民バンドの周波数）を有する放送信号を受信し、デジタル放送周波数を有する追加受信用放送信号に変換した上でデジタル放送受信機へ出力することで、当該デジタル放送受信機は、通常のデジタル放送とともに、本来的には放送で用いられない周波数での放送を受信することが可能となる。
【０００７】
同様の観点から本発明に係る放送受信アダプタは、前記周波数変換手段が、前記受信手段により受信された放送信号を、該放送信号の周波数に対応して定まる前記デジタル放送の周波数を有する追加受信用放送信号に変換するようにしてもよい。
【０００８】
また、本発明に係る放送受信アダプタは、前記周波数変換手段が、前記受信手段により受信された放送信号を、デジタル放送のチャネルのうち、未使用のチャネルの周波数を有する追加受信用放送信号に変換するようにしてもよい。
【０００９】
この構成によれば、放送受信アダプタが、デジタル放送周波数とは異なる周波数を有する放送信号を、デジタル放送のチャネルのうち、未使用のチャネルの周波数を有する追加受信用放送信号に変換してデジタル放送受信機へ出力することで、当該デジタル放送受信機における通常のデジタル放送の視聴が阻害されることなく、本来的には放送で用いられない周波数での放送を受信することが可能となる。
【００１０】
また、本発明に係る放送受信アダプタは、前記デジタル放送周波数とは異なる周波数が、市民バンド周波数であるようにしてもよい。
【００１１】
本発明に係る、デジタル放送周波数を有する放送信号を受信するデジタル放送受信機は、チューナと、デジタル放送周波数を有する放送信号を受信する第１の受信手段と、前記デジタル放送周波数とは異なる周波数を有する放送信号を受信する第２の受信手段と、前記第２の受信手段により受信された放送信号を、前記デジタル放送周波数を有する追加受信用放送信号に変換する周波数変換手段と、前記周波数変換手段により得られた追加受信用放送信号と、前記第１の受信手段により受信された放送信号とのいずれかを選択的に前記チューナへ出力する切替手段とを有すること特徴とする。
【００１２】
この構成によれば、デジタル放送受信機が、本来的には放送で用いられることのない、デジタル放送周波数とは異なる周波数を有する放送信号を受信し、デジタル放送周波数の追加受信用放送信号に変換し、更には、この追加受信用放送信号と、通常のデジタル放送の信号とを選択的にチューナへ出力することで、通常のデジタル放送とともに、本来的には放送で用いられない周波数での放送を受信することが可能となる。
【００１３】
同様の観点から本発明に係るデジタル放送受信機は、前記周波数変換手段が、前記受信手段により受信された放送信号を、該放送信号の周波数に対応して定まる前記デジタル放送の周波数を有する追加受信用放送信号に変換するようにしてもよい。
【００１４】
また、本発明に係るデジタル放送受信機は、前記デジタル放送周波数とは異なる周波数が、市民バンド周波数であるようにしてもよい。
【００１５】
本発明に係る放送中継装置は、デジタル放送周波数とは異なる周波数を有する放送信号を受信する受信手段と、前記受信手段により受信された放送信号を、デジタル放送周波数を有する追加受信用放送信号に変換する周波数変換手段と、前記周波数変換手段により得られた追加受信用放送信号を、予め定められた値以下の空中線電力で送出する放送信号送出手段とを有することを特徴とする。
【００１６】
この構成によれば、放送中継装置が、本来的には放送で用いられることのない、デジタル放送周波数とは異なる周波数を有する放送信号を受信し、デジタル放送周波数を有する追加受信用放送信号に変換した上で、予め定められた値（例えば、法律上で定められた値）以下の空中線電力で送出することで、当該放送中継装置の近傍のデジタル放送受信機は、通常の地上デジタル放送とともに、本来的には放送で用いられない周波数での放送を受信することが可能となる。
【００１７】
同様の観点から本発明に係る放送中継装置は、前記周波数変換手段が、前記受信手段により受信された放送信号を、該放送信号の周波数に対応して定まる前記デジタル放送の周波数を有する追加受信用放送信号に変換するようにしてもよい。
【００１８】
また、本発明に係る放送中継装置は、前記デジタル放送周波数とは異なる周波数が、市民バンド周波数であるようにしてもよい。
【００１９】
本発明に係る、デジタル放送周波数を有する放送信号を受信するデジタル放送受信機に接続される放送受信アダプタは、前記デジタル放送周波数とは異なる周波数を有する放送信号を受信する受信手段と、前記受信手段により受信された放送信号を、前記デジタル放送周波数を有する追加受信用放送信号に変換する周波数変換手段と、前記周波数変換手段により得られた追加受信用放送信号を、予め定められた値以下の空中線電力で送出する放送信号送出手段と、前記デジタル放送受信機から出力される放送データを記憶する記憶手段とを有することを特徴とする。
【００２０】
この構成によれば、放送受信アダプタが、本来的には放送で用いられることのない、デジタル放送周波数とは異なる周波数を有する放送信号を受信し、デジタル放送周波数を有する追加受信用放送信号に変換した上で、予め定められた値以下の空中線電力で送出することで、当該放送受信アダプタが接続されたデジタル放送受信機は、通常の地上デジタル放送とともに、本来的には放送で用いられない周波数での放送を受信することが可能となる。
【００２１】
同様の観点から本発明に係る放送受信アダプタは、前記周波数変換手段が、前記受信手段により受信された放送信号を、該放送信号の周波数に対応して定まる前記デジタル放送の周波数を有する追加受信用放送信号に変換するようにしてもよい。
【００２２】
また、本発明に係る放送受信アダプタは、前記デジタル放送周波数とは異なる周波数が、市民バンド周波数であるようにしてもよい。
【発明の効果】
【００２３】
本発明によれば、本来的には放送で用いられない周波数を有する放送信号をデジタル放送で用いられている周波数に変換することで、地上デジタル放送受信機において、その本来的には放送で用いられない周波数の放送が受信可能となる。
【発明を実施するための最良の形態】
【００２４】
以下、本発明の実施の形態について、図面を参照して具体的に説明する。図１は、本発明の実施形態に係る第１の放送システムの構成を示す図である。図１に示す放送システムは、放送信号の受信側の放送受信アダプタとしてのアンテナアダプタ１０−１、当該アンテナアダプタ１０−１へ電力を供給する電源装置３０、及び、地上デジタル放送のワンセグ放送についての受信機能を有する地上デジタル放送受信機としてのワンセグ放送携帯電話機４０と、送出側の地上デジタル放送方式であるＩＳＤＢ−Ｔ（Integrated Services Digital Broadcasting - Terminal）の放送送出機５０及びビデオカメラ７０により構成される。
【００２５】
この放送システムでは、送出側のＩＳＤＢ−Ｔ放送送出機５０が、ビデオカメラ７０の撮影によって得られる画像情報及び音声情報を含んだ２．４ＧＨｚ帯域の市民バンド周波数を有する放送信号を送出し、受信側のアンテナアダプタ１０−１が、受信した放送信号をＵＨＦ（ultra high frequency）帯域の地上デジタル放送の周波数を有する放送信号に変換して、ワンセグ放送携帯電話機４０へ出力する。
【００２６】
送出側のビデオカメラ７０は、撮影時に画像情報及び音声情報を生成し、これらをＩＳＤＢ−Ｔ放送送出機５０へ出力する。ＩＳＤＢ−Ｔ放送送出機５０は、ＧＨｚ帯アンテナ６０を有する。このＩＳＤＢ−Ｔ放送送出機５０は、画像情報及び音声情報を入力すると、これらを含んだＧＨｚ帯の市民バンド周波数を有する放送信号を生成し、ＧＨｚ帯アンテナ６０を介して送出する。この際、ＩＳＤＢ−Ｔ放送送出機５０は、放送信号の空中線電力を所定値以下（例えば法律上認められた０．０５［Ｗ］以下）で送出する。
【００２７】
受信側のアンテナアダプタ１０−１は、ＧＨｚ帯アンテナ２０を有するとともに、ワンセグ放送携帯電話機４０に設けられた外部入力端子４２が接続される。このアンテナアダプタ１０−１は、ＧＨｚ帯アンテナ２０を介して、ＩＳＤＢ−Ｔ放送送出機５０によって送出された市民バンド周波数を有する放送信号を受信し、この放送信号を地上デジタル放送に用いられる周波数を有する放送信号に変換した上で、ワンセグ放送携帯電話機４０へ出力する。
【００２８】
図２は、アンテナアダプタ１０−１の構成を示す図である。図２に示すアンテナアダプタ１０−１は、入力端子１０２、バンドパスフィルタ（ＢＰＦ）１０４、ＲＦ増幅器１０６、ＢＰＦ１０８、ＣＰＵ１１４、ＰＬＬ（Phase Locked Loop）シンセサイザ１１６、周波数変換器１２２、ＡＧＣ（Auto Gain Control）前置増幅器１２４、検波器１２６、ＡＧＣ直流増幅器１２８、ＢＰＦ１３０及び出力端子１３２により構成される。これらのうち、ＰＬＬシンセサイザ１１６は、ＰＬＬ１１８及び電圧制御発振器（ＶＣＯ：Voltage Controlled Oscillator）１２０により構成される。
【００２９】
図３は、図２に示すアンテナアダプタ１０−１の動作を示すフローチャートである。ＧＨｚ帯アンテナ２０は、ＩＳＤＢ−Ｔ放送送出機５０によって送出された市民バンド周波数を有する放送信号を受信する（Ｓ１１）。図４は、アンテナアダプタ１０−１において、市民バンド周波数を有する放送信号を地上デジタル放送に用いられる周波数を有する放送信号に変換する際の市民バンドのチャネルと、地上デジタル放送のチャネルとの対応関係を示す図である。図４に示すように、市民バンドのチャネルと、地上デジタル放送のチャネルとは１対１に対応する。ＩＳＤＢ−Ｔ放送送出機５０は、この対応関係を把握している。そして、ＩＳＤＢ−Ｔ放送送出機５０は、アンテナアダプタ１０−１において、市民バンド周波数を有する放送信号を地上デジタル放送に用いられる周波数を有する放送信号に変換した際に、変換後の地上デジタル放送のチャネルがＩＳＤＢ−Ｔ放送送出機５０の設置された地域において、通常の地上デジタル放送に用いられていないチャネルとなるような市民バンドのチャネルを特定し、そのチャネルの周波数を有する放送信号を送出する。
【００３０】
受信された市民バンド周波数を有する放送信号は、入力端子１０２を介してＢＰＦ１０４へ入力される。ＢＰＦ１０４は、入力した市民バンド周波数を有する放送信号を入力し、雑音成分を除去して出力する。ＲＦ増幅器１０６は、後述するＡＧＣ直流増幅器１２８からのＡＧＣ信号のレベルに応じて増幅度を設定し、ＢＰＦ１０４からの市民バンド周波数を有する放送信号を増幅する。この際、増幅度は、ＡＧＣ信号のレベルが高い場合には下がり、低い場合には上がるようにして、出力端子１３２からの出力信号の最大値が所定値となるように設定される。ＢＰＦ１０８は、ＲＦ増幅器１０６により増幅された市民バンド周波数を有する放送信号を入力し、雑音成分を除去して周波数変換器１２２へ出力する。
【００３１】
ＣＰＵ１１４は、ＰＬＬシンセサイザ１１６に対して、当該ＰＬＬシンセサイザ１１６が２９６３［ＭＨｚ］の信号を出力するように指示する。ＰＬＬシンセサイザ１１６は、この指示に応じて、出力信号の周波数が２９６３［ＭＨｚ］と一致するように制御を行う。具体的には、ＶＣＯ１２０は、入力電圧に比例する周波数を有する放送信号を出力する。ＰＬＬ１１６は、このＶＣＯ１２０の出力信号の周波数を測定し、当該周波数と、２９６３［ＭＨｚ］とを比較する。ＶＣＯ１２０の出力信号の周波数が２９６３［ＭＨｚ］でない場合には、ＰＬＬ１１８はＶＣＯ１２０の入力電圧を変更する。これにより、ＶＣＯ１２０の出力信号の周波数が変更される。このような動作が繰り返されることによって、やがてＶＣＯ１２０の出力信号の周波数が２９６３［ＭＨｚ］となる。
【００３２】
周波数変換部１２２は、ＢＰＦ１０８からの市民バンド周波数を有する放送信号と、ＶＣＯ１２０からの２９６３［ＭＨｚ］の信号とを入力すると、当該信号の周波数である２９６３［ＭＨｚ］から市民バンド周波数を差し引いた周波数を有するワンセグ放送用の放送信号を生成、出力する。これにより、市民バンド周波数を有する放送信号がワンセグ放送用の周波数を有する放送信号に変換される（Ｓ１３）。
【００３３】
この周波数変換により得られたワンセグ放送用周波数を有する放送信号は、ＡＧＣ前置増幅器１２４へ入力される。ＡＧＣ前置増幅器１２４は、入力したワンセグ放送用周波数を有する放送信号を予め定められた増幅率で増幅し、検波器１２６へ出力する。検波器１２６は、入力した増幅後のワンセグ放送用周波数を有する放送信号を検波し、検波信号をＡＧＣ直流増幅器１２８へ出力する。ＡＧＣ直流増幅器１２８は、入力した検波信号を予め定められた増幅率で増幅し、ＡＧＣ信号としてＲＦ増幅器１０６へ出力する。ＲＦ増幅器１０６は、上述したように、増幅度を、ＡＧＣ信号のレベルが高い場合には下がり、低い場合には上がるように設定し、その後にＢＰＦ１０４から入力される市民バンド周波数を有する放送信号を増幅する。
【００３４】
また、周波数変換部１２２の周波数変換により得られたワンセグ放送用周波数を有する放送信号は、ＢＰＦ１３０へ入力される。ＢＰＦ１３０は、入力したワンセグ放送用周波数を有する放送信号を入力して雑音成分を除去し、追加受信用放送信号として、出力端子１３２及び外部入力端子４２を介して、ワンセグ放送携帯電話機４０（例えば、ワンセグ放送携帯電話機４０内の図示しないワンセグチューナ）へ出力する（Ｓ１４）。ワンセグ放送携帯電話機４０は、地上デジタル放送の信号を直接受信するとともに、アンテナアダプタ１０−１からのワンセグ放送用周波数を有する放送信号を入力し、利用者がこれらの放送を視聴するための画像表示や音声出力を行う。上述したように、ＩＳＤＢ−Ｔ放送送出機５０は、アンテナアダプタ１０−１における変換後の地上デジタル放送のチャネルがＩＳＤＢ−Ｔ放送送出機５０の設置された地域において、通常の地上デジタル放送に用いられていないチャネルとなるように、市民バンドのチャネルを特定し、そのチャネルの周波数を有する放送信号を送出しているため、ワンセグ放送携帯電話機４０において、直接受信された地上デジタル放送信号のチャネルと、アンテナアダプタ１０−１からのワンセグ放送用周波数を有する放送信号のチャネルとは重なることはなく、通常のデジタル放送の視聴が阻害されることはない。
【００３５】
このように、ワンセグ放送携帯電話機４０に接続されるアンテナアダプタ１０−１は、本来的には放送で用いられない市民バンドの周波数を有する放送信号を受信し、地上デジタル放送で用いられている周波数に変換した上でワンセグ放送携帯電話機４０へ出力することで、当該ワンセグ放送携帯電話機４０は、通常の地上デジタル放送とともに、市民バンド周波数での放送を受信することが可能となる。
【００３６】
なお、ワンセグ放送携帯電話機４０は、通常、地上デジタル放送のチャネルのうち、使用中のチャネルをサーチする機能を有していることに鑑み、アンテナアダプタ１０−１が受信した市民バンド周波数を有する放送信号を、地上デジタル放送のチャネルのうち、未使用のチャネルの周波数を有する放送信号に変換するようにしてもよい。
【００３７】
図５は、アンテナアダプタ１０−１の他の構成を示す図である。また、図６は、図５に示すアンテナアダプタ１０−１の動作を示すフローチャートである。Ｓ１６の動作は、図３におけるＳ１１の動作と同様であり、ＧＨｚ帯アンテナ２０が、ＩＳＤＢ−Ｔ放送送出機５０によって送出された市民バンド周波数を有する放送信号を受信し、当該市民バンド周波数を有する放送信号が、ＢＰＦ１０４、ＲＦ増幅器１０６及びＢＰＦ１０８を介して、周波数変換器１２２へ入力される。なお、ＩＳＤＢ−Ｔ放送送出機５０における放送信号の送出に用いられる市民バンド周波数は、予め定められた周波数である。
【００３８】
ＣＰＵ１１４は、ワンセグ放送携帯電話機４０によって、地上デジタル放送のチャネルのうち、使用中のチャネルをサーチすることによって得られる、使用中チャネルの情報を入力する。更に、ＣＰＵ１１４は、入力した使用中チャネルの情報に基づいて、地上デジタル放送のチャネルのうち、未使用のチャネルを特定する（Ｓ１７）。
【００３９】
そして、ＣＰＵ１１４は、周波数変換部１２２において、ＰＬＬシンセサイザ１１６の出力信号の周波数から予め定められた市民バンド周波数を差し引いた場合に未使用のチャネルの周波数となるように、ＰＬＬシンセサイザ１１６に対し、所定周波数、具体的には、未使用のチャネルの周波数に予め定められた市民バンド周波数を加えた周波数の信号を出力するように指示する。ＰＬＬシンセサイザ１１６は、この指示に応じて、出力信号の周波数が所定周波数と一致するように制御を行う。
【００４０】
周波数変換部１２２は、ＢＰＦ１０８からの市民バンド周波数を有する放送信号と、ＰＬＬシンセサイザ１１６からの所定周波数の信号とを入力すると、所定周波数から市民バンド周波数を差し引いた周波数を有する、未使用チャネルのワンセグ放送用の周波数を有する放送信号に変換する（Ｓ１８）。
【００４１】
その後は、図３のＳ１３と同様、周波数変換部１２２の周波数変換により得られたワンセグ放送用周波数を有する放送信号は、ＢＰＦ１３０へ入力される。ＢＰＦ１３０は、入力したワンセグ放送用周波数を有する放送信号を入力して雑音成分を除去し、追加受信用放送信号として、出力端子１３２及び外部入力端子４２を介して、ワンセグ放送携帯電話機４０へ出力する（Ｓ１９）。
【００４２】
図７は、本発明の実施形態に係る第２の放送システムの構成を示す図である。図７に示す放送システムは、放送信号の受信側のワンセグ放送携帯電話機４０を有するとともに、送出側のＩＳＤＢ−Ｔ放送送出機５０及びビデオカメラ７０により構成される。これらのうち、ワンセグ放送携帯電話機４０は、ＧＨｚ帯アンテナ２０を有する放送受信アダプタとしてのアンテナアダプタ１０−２、ＵＨＦ帯アンテナ４６、スイッチ４８及びワンセグチューナ４４とにより構成される。
【００４３】
この放送システムでは、送出側のＩＳＤＢ−Ｔ放送送出機５０が、ビデオカメラ７０の撮影によって得られる画像情報及び音声情報を含んだＧＨｚ帯域の市民バンド周波数を有する放送信号を送出し、受信側のワンセグ放送携帯電話機４０内のアンテナアダプタ１０−２が、受信した放送信号をＵＨＦ帯域の地上デジタル放送の周波数に変換する。
【００４４】
図１に示す放送システムと同様、送出側のビデオカメラ７０は、撮影時に画像情報及び音声情報を生成し、これらをＩＳＤＢ−Ｔ放送送出機５０へ出力する。ＩＳＤＢ−Ｔ放送送出機５０は、画像情報及び音声情報を入力すると、これらを含んだＧＨｚ帯の市民バンド周波数を有する放送信号を生成し、ＧＨｚ帯アンテナ６０を介して送出する。この際、ＩＳＤＢ−Ｔ放送送出機５０は、放送信号の空中線電力を所定値以下で送出する。
【００４５】
受信側のアンテナアダプタ１０−２は、スイッチ４８に接続される。このアンテナアダプタ１０−２は、ＧＨｚ帯アンテナ２０を介して、ＩＳＤＢ−Ｔ放送送出機５０によって送出された市民バンド周波数を有する放送信号を受信し、この放送信号を地上デジタル放送に用いられる周波数を有する放送信号に変換した上で出力する。このアンテナアダプタ１０−２は、図２に示すアンテナアダプタ１０−１と同様の構成を有する。
【００４６】
図８は、アンテナアダプタ１０−２の動作を示すフローチャートである。ＧＨｚ帯アンテナ２０は、ＩＳＤＢ−Ｔ放送送出機５０によって送出された市民バンド周波数を有する放送信号を受信する（Ｓ２１）。
【００４７】
その後は、アンテナアダプタ１０−１の場合と同様、受信された市民バンド周波数を有する放送信号は、入力端子１０２を介してＢＰＦ１０４へ入力される。ＢＰＦ１０４は、入力した市民バンド周波数を有する放送信号を入力し、雑音成分を除去して出力する。ＲＦ増幅器１０６は、後述するＡＧＣ直流増幅器１２８からのＡＧＣ信号のレベルに応じて増幅度を設定し、ＢＰＦ１０４からの市民バンド周波数を有する放送信号を増幅する。この際、増幅度は、ＡＧＣ信号のレベルが高い場合には下がり、低い場合には上がるようにして、出力端子１３２からの出力信号の最大値が所定値となるように設定される。ＢＰＦ１０８は、ＲＦ増幅器１０６により増幅された市民バンド周波数を有する放送信号を入力し、雑音成分を除去して周波数変換器１２２へ出力する。
【００４８】
ＣＰＵ１１４は、ＰＬＬシンセサイザ１１６に対して、当該ＰＬＬシンセサイザ１１６が２９６３［ＭＨｚ］の信号を出力するように指示する。ＰＬＬシンセサイザ１１６は、この指示に応じて、出力信号の周波数が２９６３［ＭＨｚ］と一致するように制御を行う。
【００４９】
周波数変換部１２２は、ＢＰＦ１０８からの市民バンド周波数を有する放送信号と、ＶＣＯ１２０からの２９６３［ＭＨｚ］の信号とを入力すると、当該信号の周波数である２９６３［ＭＨｚ］から市民バンド周波数を差し引いた周波数を有するワンセグ放送用の放送信号を生成、出力する。これにより、市民バンド周波数を有する放送信号がワンセグ放送用の周波数を有する放送信号に変換される（Ｓ２２）。
【００５０】
この周波数変換により得られたワンセグ放送用周波数を有する放送信号は、ＡＧＣ前置増幅器１２４へ入力され、予め定められた増幅率で増幅される。そして、検波器１２６によって、増幅後のワンセグ放送用周波数を有する放送信号が検波され、検波信号がＡＧＣ直流増幅器１２８へ出力される。更に、ＡＧＣ直流増幅器１２８によって、予め定められた増幅率で増幅され、ＡＧＣ信号としてＲＦ増幅器１０６へ出力する。ＲＦ増幅器１０６は、上述したように、増幅度を、ＡＧＣ信号のレベルが高い場合には下がり、低い場合には上がるように設定し、その後にＢＰＦ１０４から入力される市民バンド周波数を有する放送信号を増幅する。
【００５１】
また、周波数変換部１２２の周波数変換により得られたワンセグ放送用周波数を有する放送信号は、ＢＰＦ１３０へ入力される。ＢＰＦ１３０は、入力したワンセグ放送用周波数を有する放送信号を入力して雑音成分を除去し、追加受信用放送信号として、出力端子１３２及び外部入力端子４２を介して、スイッチ４８に向けて出力する（Ｓ２３）。
【００５２】
スイッチ４８は、利用者による操作に応じて、アンテナアダプタ１０−２からのワンセグ放送用周波数を有する放送信号と、ＵＨＦ帯アンテナ４６によって受信されたワンセグ放送用周波数を有する放送信号のいずれかをワンセグチューナ４４へ出力する。ワンセグチューナ４４は、スイッチ４６を介して、アンテナアダプタ１０−２からのワンセグ放送用周波数を有する放送信号と、ＵＨＦ帯アンテナ４６によって受信されたワンセグ放送用周波数を有する放送信号のいずれかを入力し、利用者がこれらの放送を視聴するための画像表示や音声出力を行う。
【００５３】
このように、ワンセグ放送携帯電話機４０に内蔵されるアンテナアダプタ１０−２は、本来的には放送で用いられない市民バンドの周波数を有する放送信号を受信して、地上デジタル放送で用いられている周波数に変換し、更には、スイッチ４６によって、この周波数変換後の放送信号と、通常の地上デジタル放送の信号とが選択的にワンセグチューナ４４へ出力されることで、通常の地上デジタル放送とともに、本来的には放送で用いられない周波数での放送を受信することが可能となる。
【００５４】
図９は、本発明の実施形態に係る第３の放送システムの構成を示す図である。図７に示す放送システムは、放送中継装置１０−３、電源装置３０、ワンセグ放送携帯電話機４０、ＩＳＤＢ−Ｔ放送送出機５０及びビデオカメラ７０により構成される。
【００５５】
この放送システムでは、送出側のＩＳＤＢ−Ｔ放送送出機５０が、ビデオカメラ７０の撮影によって得られる画像情報及び音声情報を含んだＧＨｚ帯域の市民バンド周波数を有する放送信号を送出し、受信側の放送中継装置１０−３が、受信した放送信号をＵＨＦ帯域の地上デジタル放送の周波数に変換して、ワンセグ放送携帯電話機４０へ向けて送出する。
【００５６】
図１及び図７に示す放送システムと同様、送出側のビデオカメラ７０は、撮影時に画像情報及び音声情報を生成し、これらをＩＳＤＢ−Ｔ放送送出機５０へ出力する。ＩＳＤＢ−Ｔ放送送出機５０は、ＧＨｚ帯アンテナ６０を有する。このＩＳＤＢ−Ｔ放送送出機５０は、画像情報及び音声情報を入力すると、これらを含んだＧＨｚ帯の市民バンド周波数を有する放送信号を生成し、ＧＨｚ帯アンテナ６０を介して送出する。この際、ＩＳＤＢ−Ｔ放送送出機５０は、放送信号の空中線電力を所定値以下で送出する。
【００５７】
受信側の放送中継装置１０−３は、ＧＨｚ帯アンテナ２０及びＵＨＦ帯アンテナ２２を有する。この放送中継装置１０−３は、ＧＨｚ帯アンテナ２０を介して、ＩＳＤＢ−Ｔ放送送出機５０によって送出された市民バンド周波数を有する放送信号を受信し、この放送信号を地上デジタル放送に用いられる周波数に変換した上で、ＵＨＦ帯アンテナ２２を介して、ワンセグ放送携帯電話機４０へ向けて送出する。
【００５８】
図１０は、放送中継装置１０−３の構成を示す図である。図１０に示す放送中継装置１０−３は、図２に示すアンテナアダプタ１０−１と比較すると、出力端子１３２にＵＨＦ帯アンテナ２２が接続されている。
【００５９】
図１１は、放送中継装置１０−３の動作を示すフローチャートである。ＧＨｚ帯アンテナ２０は、ＩＳＤＢ−Ｔ放送送出機５０によって送出された市民バンド周波数を有する放送信号を受信する（Ｓ３１）。
【００６０】
その後は、アンテナアダプタ１０−１の場合と同様、受信された市民バンド周波数を有する放送信号は、入力端子１０２を介してＢＰＦ１０４へ入力される。ＢＰＦ１０４は、入力した市民バンド周波数を有する放送信号を入力し、雑音成分を除去して出力する。ＲＦ増幅器１０６は、後述するＡＧＣ直流増幅器１２８からのＡＧＣ信号のレベルに応じて増幅度を設定し、ＢＰＦ１０４からの市民バンド周波数を有する放送信号を増幅する。この際、増幅度は、ＡＧＣ信号のレベルが高い場合には下がり、低い場合には上がるようにし、更には、ＵＨＦ帯アンテナ２２から送出される信号の送出電力が法定値以下となるように設定される（Ｓ３２）。ＢＰＦ１０８は、ＲＦ増幅器１０６により増幅された市民バンド周波数を有する放送信号を入力し、雑音成分を除去して周波数変換器１２２へ出力する。
【００６１】
ＣＰＵ１１４は、ＰＬＬシンセサイザ１１６に対して、当該ＰＬＬシンセサイザ１１６が２９６３［ＭＨｚ］の信号を出力するように指示する。ＰＬＬシンセサイザ１１６は、この指示に応じて、出力信号の周波数が２９６３［ＭＨｚ］と一致するように制御を行う。
【００６２】
周波数変換部１２２は、ＢＰＦ１０８からの市民バンド周波数を有する放送信号と、ＶＣＯ１２０からの２９６３［ＭＨｚ］の信号とを入力すると、当該信号の周波数である２９６３［ＭＨｚ］から市民バンド周波数を差し引いた周波数を有するワンセグ放送用の放送信号を生成、出力する。これにより、市民バンド周波数を有する放送信号がワンセグ放送用の周波数を有する放送信号に変換される（Ｓ３３）。
【００６３】
この周波数変換により得られたワンセグ放送用周波数を有する放送信号は、ＡＧＣ前置増幅器１２４へ入力され、予め定められた増幅率で増幅される。そして、検波器１２６によって、増幅後のワンセグ放送用周波数を有する放送信号が検波され、検波信号がＡＧＣ直流増幅器１２８へ出力される。更に、ＡＧＣ直流増幅器１２８によって、予め定められた増幅率で増幅され、ＡＧＣ信号としてＲＦ増幅器１０６へ出力する。ＲＦ増幅器１０６は、上述したように、増幅度を、ＡＧＣ信号のレベルが高い場合には下がり、低い場合には上がるように設定し、その後にＢＰＦ１０４から入力される市民バンド周波数を有する放送信号を増幅する。
【００６４】
また、周波数変換部１２２の周波数変換により得られたワンセグ放送用周波数を有する放送信号は、ＢＰＦ１３０へ入力される。ＢＰＦ１３０は、入力したワンセグ放送用周波数を有する放送信号を入力して雑音成分を除去し、追加受信用放送信号として、出力端子１３２及びＵＨＦ帯アンテナ２２を介して、ワンセグ放送携帯電話機４０へ向けて送出する（Ｓ３４）。ワンセグ放送携帯電話機４０は、地上デジタル放送の信号を直接受信するとともに、ＵＨＦ帯アンテナ４６を介して、アンテナアダプタ１０−１からのワンセグ放送用周波数を有する放送信号を受信し、利用者がこれらの放送を視聴するための画像表示や音声出力を行う。
【００６５】
このように、放送中継装置１０−３は、本来的にはデジタル放送で用いられない市民バンドの周波数を有する放送信号を受信し、地上デジタル放送で用いられている周波数に変換した上でワンセグ放送携帯電話機４０へ向けて送出することで、当該ワンセグ放送携帯電話機４０は、通常の地上デジタル放送とともに、ＵＨＦ帯アンテナ４６を介して市民バンド周波数での放送を受信することが可能となる。
【００６６】
図１２は、本発明の実施形態に係る第４の放送システムの構成を示す図である。図７に示す放送システムは、アンテナアダプタ１０−４、ワンセグ放送携帯電話機４０、ＩＳＤＢ−Ｔ放送送出機５０及びビデオカメラ７０により構成される。これらのうち、アンテナアダプタ１０−４は、ＧＨｚ帯アンテナ２０、ＵＨＦ帯アンテナ２２、アダプタ本体３２及びメモリカード３４を有する。一方、ワンセグ放送携帯電話機４０は、カードスロット４１、電源４３及びＵＨＦ帯アンテナ４６により構成される。
【００６７】
この放送システムでは、送出側のＩＳＤＢ−Ｔ放送送出機５０が、ビデオカメラ７０の撮影によって得られる画像情報及び音声情報を含んだＧＨｚ帯域の市民バンド周波数を有する放送信号を送出し、受信側のワンセグ放送携帯電話機４０に取り付けられたアンテナアダプタ１０−４が、受信した放送信号をＵＨＦ帯域の地上デジタル放送の周波数に変換して、ワンセグ放送携帯電話機４０へ向けて送出する。
【００６８】
図１、図７及び図９に示す放送システムと同様、送出側のビデオカメラ７０は、撮影時に画像情報及び音声情報を生成し、これらをＩＳＤＢ−Ｔ放送送出機５０へ出力する。ＩＳＤＢ−Ｔ放送送出機５０は、ＧＨｚ帯アンテナ６０を有する。このＩＳＤＢ−Ｔ放送送出機５０は、画像情報及び音声情報を入力すると、これらを含んだＧＨｚ帯の市民バンド周波数を有する放送信号を生成し、ＧＨｚ帯アンテナ６０を介して送出する。この際、ＩＳＤＢ−Ｔ放送送出機５０は、放送信号の空中線電力を所定値以下で送出する。
【００６９】
受信側のアンテナアダプタ１０−４内のアダプタ本体３２及びメモリカード３４は、アンテナアダプタ１０−４がワンセグ放送携帯電話機４０に接続される際に、当該ワンセグ放送携帯電話機４０内の電源４３と接続され、当該電源４３から供給される電力により作動する。
【００７０】
アダプタ本体３２は、ＧＨｚ帯アンテナ２０を介して、ＩＳＤＢ−Ｔ放送送出機５０によって送出された市民バンド周波数を有する放送信号を受信し、この放送信号を地上デジタル放送に用いられる周波数に変換した上で、ＵＨＦ帯アンテナ２２を介して、ワンセグ放送携帯電話機４０へ向けて無線送出する。アダプタ本体３２は、図１０に示すアンテナアダプタ１０−３と同様の構成を有する。
【００７１】
メモリカード３４は、アンテナアダプタ１０−４がワンセグ放送携帯電話機４０に接続される際に、当該ワンセグ放送携帯電話機４０内のメモリカードスロット４１に挿入される。地上デジタル放送の信号を直接受信するとともに、ＵＨＦ帯アンテナ４６を介して、アンテナアダプタ１０−１からのワンセグ放送用周波数を有する放送信号を受信し、利用者の操作指示等に応じて、これらに対応する放送データを、メモリカードスロット４１を介してアンテナアダプタ１０−４内のメモリカード３４へ出力する。メモリカード３４は、これらワンセグ放送携帯電話機４０から出力される放送データを入力し、当該データを記憶する。
【００７２】
図１３は、アンテナアダプタ１０−４の動作を示すフローチャートである。ＧＨｚ帯アンテナ２０は、ＩＳＤＢ−Ｔ放送送出機５０によって送出された市民バンド周波数を有する放送信号を受信する（Ｓ４１）。
【００７３】
その後は、アンテナアダプタ１０−１の場合と同様、受信された市民バンド周波数を有する放送信号は、入力端子１０２を介してＢＰＦ１０４へ入力される。ＢＰＦ１０４は、入力した市民バンド周波数を有する放送信号を入力し、雑音成分を除去して出力する。ＲＦ増幅器１０６は、後述するＡＧＣ直流増幅器１２８からのＡＧＣ信号のレベルに応じて増幅度を設定し、ＢＰＦ１０４からの市民バンド周波数を有する放送信号を増幅する。この際、増幅度は、ＡＧＣ信号のレベルが高い場合には下がり、低い場合には上がるようにし、更には、ＵＨＦ帯アンテナ２２から送出される信号の送出電力が法定値以下となるように設定される（Ｓ４２）。ＢＰＦ１０８は、ＲＦ増幅器１０６により増幅された市民バンド周波数を有する放送信号を入力し、雑音成分を除去して周波数変換器１２２へ出力する。
【００７４】
ＣＰＵ１１４は、ＰＬＬシンセサイザ１１６に対して、当該ＰＬＬシンセサイザ１１６が２９６３［ＭＨｚ］の信号を出力するように指示する。ＰＬＬシンセサイザ１１６は、この指示に応じて、出力信号の周波数が２９６３［ＭＨｚ］と一致するように制御を行う。
【００７５】
周波数変換部１２２は、ＢＰＦ１０８からの市民バンド周波数を有する放送信号と、ＶＣＯ１２０からの２９６３［ＭＨｚ］の信号とを入力すると、当該信号の周波数である２９６３［ＭＨｚ］から市民バンド周波数を差し引いた周波数を有するワンセグ放送用の放送信号を生成、出力する。これにより、市民バンド周波数を有する放送信号がワンセグ放送用の周波数を有する放送信号に変換される（Ｓ４３）。
【００７６】
この周波数変換により得られたワンセグ放送用周波数を有する放送信号は、ＡＧＣ前置増幅器１２４へ入力され、予め定められた増幅率で増幅される。そして、検波器１２６によって、増幅後のワンセグ放送用周波数を有する放送信号が検波され、検波信号がＡＧＣ直流増幅器１２８へ出力される。更に、ＡＧＣ直流増幅器１２８によって、予め定められた増幅率で増幅され、ＡＧＣ信号としてＲＦ増幅器１０６へ出力する。ＲＦ増幅器１０６は、上述したように、増幅度を、ＡＧＣ信号のレベルが高い場合には下がり、低い場合には上がるように設定し、その後にＢＰＦ１０４から入力される市民バンド周波数を有する放送信号を増幅する。
【００７７】
また、周波数変換部１２２の周波数変換により得られたワンセグ放送用周波数を有する放送信号は、ＢＰＦ１３０へ入力される。ＢＰＦ１３０は、入力したワンセグ放送用周波数を有する放送信号を入力して雑音成分を除去し、追加受信用放送信号として、出力端子１３２及びＵＨＦ帯アンテナ２２を介して、ワンセグ放送携帯電話機４０へ向けて送出する（Ｓ４４）。ワンセグ放送携帯電話機４０は、地上デジタル放送の信号を直接受信するとともに、ＵＨＦ帯アンテナ４６を介して、アンテナアダプタ１０−１からのワンセグ放送用周波数を有する放送信号を受信し、利用者がこれらの放送を視聴するための画像表示や音声出力を行う。
【００７８】
このように、アンテナアダプタ１０−４は、本来的にはデジタル放送で用いられない市民バンドの周波数を有する放送信号を受信し、地上デジタル放送で用いられている周波数に変換した上で、接続されているワンセグ放送携帯電話機４０へ向けて送出することで、当該ワンセグ放送携帯電話機４０は、通常の地上デジタル放送とともに、ＵＨＦ帯アンテナ４６を介して市民バンド周波数での放送を受信することが可能となる。
【００７９】
なお、上述した実施形態では、単一のＩＳＤＢ−Ｔ放送送出機５０が市民バンド周波数を有する放送信号を送出したが、複数のＩＳＤＢ−Ｔ放送送出機のそれぞれが互いに異なる市民バンド周波数を有する放送信号を送出する場合にも同様に本発明を適用することができる。
【００８０】
また、上述した実施形態では、市民バンド周波数での放送を受信する場合について説明したが、本来的に放送では用いられない他の周波数の放送を受信する場合にも、同様に本発明を適用することができる。また、上述した実施形態では、地上デジタル放送のワンセグ放送を受信するワンセグ放送携帯電話機４０について説明したが、地上デジタル放送のハイビジョン放送を受信する据え置き型のテレビ受像機等のデジタル放送受信機、放送衛星によるデジタル放送（ＢＳデジタル放送）や通信衛星によるデジタル放送（ＣＳデジタル放送）を受信するデジタル放送受信機にも、同様に本発明を適用することができる。
【産業上の利用可能性】
【００８１】
以上、説明したように、本発明に係る放送受信アダプタ、地上デジタル放送受信機、及び、放送中継装置は、本来的には放送で用いられない周波数での放送を受信可能とし、放送受信アダプタとして有用である。
【図面の簡単な説明】
【００８２】
【図１】第１の放送システムの構成を示す図である。
【図２】第１及び第２の放送システムにおける放送受信アダプタの構成を示す図である。
【図３】第１の放送受信システムにおける放送受信アダプタの動作を示すフローチャートである。
【図４】市民バンドのチャネルと、地上デジタル放送のチャネルとの変換の対応関係を示す図である。
【図５】第１の放送システムにおける放送受信アダプタの他の構成を示す図である。
【図６】第１の放送受信システムにおける放送受信アダプタの他の動作を示すフローチャートである。
【図７】第２の放送システムの構成を示す図である。
【図８】第２の放送受信システムにおける放送受信アダプタの動作を示すフローチャートである。
【図９】第３の放送システムの構成を示す図である。
【図１０】第３の放送システムにおける放送中継装置の構成を示す図である。
【図１１】第３の放送受信システムにおける放送中継装置の動作を示すフローチャートである。
【図１２】第４の放送システムの構成を示す図である。
【図１３】第４の放送受信システムにおけるアンテナアダプタの動作を示すフローチャートである。
【符号の説明】
【００８３】
１０−１、１０−２、１０−４  放送受信アダプタ
１０−３  放送中継装置
２０、６０  ＧＨｚ帯アンテナ
２２、４６  ＵＨＦ帯アンテナ
３０  電源装置
３２  アダプタ本体
３４  カードスロット
４０  ワンセグ放送携帯電話機
４１  カードスロット
４２  外部入力端子
４３  電源
４４  ワンセグチューナ
２２、４６  ＵＨＦ帯アンテナ
４８  スイッチ
５０  ＩＳＤＢ−Ｔ放送送出機
７０  ビデオカメラ
【図１】
2008283270.tif 000003
【図２】
2008283270.tif 000004
【図３】
2008283270.tif 000005
【図４】
2008283270.tif 000006
【図５】
2008283270.tif 000007
【図６】
2008283270.tif 000008
【図７】
2008283270.tif 000009
【図８】
2008283270.tif 000010
【図９】
2008283270.tif 000011
【図１０】
2008283270.tif 000012
【図１１】
2008283270.tif 000013
【図１２】
2008283270.tif 000014
【図１３】
2008283270.tif 000015